(57)【要約】  【課題】自動製氷装置を備えた冷蔵庫において、製氷皿の取り外し、取りつけを可能し、製氷皿の取りつけ時いたずらに水が入った製氷皿を取りつけられた場合でも不具合なく製氷動作を行うことを可能とする。  【解決手段】製氷皿５を離氷機構により動作させる製氷皿駆動手段１０と、給水動作を行う給水動作手段８と、製氷皿５の有無を検知する製氷皿有無検知手段１４と、製氷皿駆動動作及び給水動作を停止する製氷停止手段２６と、製氷皿有無検知手段と製氷停止手段の信号により製氷皿駆動手段と給水動作手段を制御する自動製氷制御手段３０とを備え、製氷停止手段２６の信号の有無により製氷皿取付け後の製氷動作の開始時間を制御することにより、製氷不具合なしに製氷時間の短縮をはかることができる。【選択図】図８
2006078084.tif 000002
【特許請求の範囲】
【請求項１】
給水装置から給水された水を冷凍室内に設置した製氷皿に貯溜して製氷し、製氷後に離氷機構により製氷皿を反転させて離氷させるようにし、前記製氷皿が離氷機構から自在に取り外せるようにした自動製氷機付き冷凍冷蔵庫において、前記製氷皿を離氷機構により動作させる製氷皿駆動手段と、前記給水装置から給水動作を行う給水動作手段と、前記製氷皿の有無を検知する製氷皿有無検知手段と、前記製氷皿有無検知手段により検知された信号により前記製氷皿駆動手段と前記給水動作手段を制御する自動製氷制御手段とを備え、前記自動製氷制御手段は、前記製氷皿取付け時の製氷皿有無検知手段の信号が検知された時は、一定時間経過した後、製氷皿駆動手段と給水動作手段を動作させることを特徴とした自動製氷機付き冷蔵庫。
【請求項２】
給水装置から給水された水を冷凍室内に設置した製氷皿に貯溜して製氷し、製氷後に離氷機構により製氷皿を反転させて離氷させるようにし、前記製氷皿が離氷機構から自在に取り外せるようにした自動製氷機付き冷凍冷蔵庫において、前記製氷皿を離氷機構により動作させる製氷皿駆動手段と、前記給水装置から給水動作を行う給水動作手段と、前記製氷皿の有無を検知する製氷皿有無検知手段と、製氷皿駆動動作及び給水動作を停止する製氷停止手段と、前記製氷皿有無検知手段と前記製氷停止手段により検知された信号により前記製氷皿駆動手段と前記給水動作手段を制御する自動製氷制御手段とを備え、前記製氷停止手段の信号の有無により製氷皿取付け後の製氷皿駆動手段と給水動作手段の開始時間を制御することを特徴とした自動製氷機付き冷蔵庫。
【請求項３】
自動製氷制御手段は、製氷停止手段の信号を検知し、製氷皿がはずされた後、製氷皿有無検知手段により製氷皿有りの信号が検知された時は、すぐに製氷皿駆動手段と給水動作手段を動作させることを特徴とした請求項２記載の自動製氷機付き冷蔵庫。
【請求項４】
自動製氷制御手段は、製氷停止手段の信号を検知なしに、製氷皿がはずされた後、製氷皿有無検知手段により製氷皿有りの信号が検知された時は、一定時間経過した後、製氷皿駆動手段と給水動作手段を動作させることを特徴とした請求項２記載の自動製氷機付き冷蔵庫。
【発明の詳細な説明】
【技術分野】
【０００１】
本発明は、製氷装置を備えた冷蔵庫に関するものである。
【背景技術】
【０００２】
近年冷蔵庫は自動製氷機が付いたものが主流になっている。冷蔵庫等に組み込まれる自動製氷機は、冷蔵庫内に設けた貯水タンクから製氷用水が給水パイプにより自動的に供給され、製氷が自動的に行われて、氷ができると製氷皿を回転させ、かつひねりを加えて、製氷皿内の氷を貯氷容器内に落下させ、貯氷容器内の氷が一定量に溜まったら、貯氷検知レバー等により検出されて、製氷動作を停止しそして貯氷容器内の氷が少なくなると、それが貯氷検知レバーで検知されて再び水が供給され、製氷が自動的に再開するという構成になっている。ここで、自動製氷機の製氷皿は、一般に自動製氷機のモータによって駆動される駆動機構の回転軸と連結固定されているが、駆動機構から分離できず、製氷皿の庫外への取り外しはできないという構造であった。そこで、製氷皿の衛生性を高めるために製氷皿を駆動機構と分離させ、冷蔵庫外に取り出せるような構造に改良し、製氷皿の掃除等を容易に行えるようにした自動製氷機付き冷蔵庫が提案されている（例えば、特許文献１参照）。
【０００３】
図９は、特許文献１に記載された従来の冷蔵庫の自動製氷機が設けられている部分の構造を示す一部縦断面図であり、図１０は自動製氷機の分解斜視図である。各図において、１００は冷蔵庫本体で、この本体１００は内部に冷凍室１０２と冷蔵室１０３とを有している。１０４は冷凍室１０２の前面開口部を開閉する扉であり、１０５は冷蔵室１０３の前面開口部を開閉する扉である。自動製氷機１０６は冷凍室１０２に設けられており、その全体構成は、製氷皿１０７と、製氷完了時に製氷皿１０７にひねりを加えながら下向きに回動させて離氷させるための駆動機構１０８とからなる。１０９がその駆動機構１０８を収納した機構ボックスで、内部にモータやギヤ等を有している。機構ボックス１０９は、冷凍室１０２の奥部の所定箇所に設置固定されている。１１０は、機構ボックス１０９から突出した回転軸で、前記製氷皿１０７と連結してこれを回動させる。
【０００４】
冷蔵室１０３内には、製氷用の水を貯める貯水タンク１１１が設けられ、そのタンク１１１内の水は、ポンプ１１２により給水管１１３を介して冷凍室１０２内の製氷皿１０７の上部に導かれ、上方から給水される。この製氷皿１０７は上面が開口した箱型の容器状をなすとともに、その内部が複数の小室１０７ｍに仕切られていて、所定の大きさの氷を製造するようになっている。なお、１２１は冷却ファン、１２２は蒸発器である。
【０００５】
製氷皿１０７には、前記機構ボックス１０９と向き合う側の長手方向端部１０７ｂの中心部分に、前記回転軸１１０に嵌め合せ可能な連結部１１４が一体に設けられている。そして製氷皿１０７のこの連結部１１４とは反対側の長手方向端部１０７ｃより、製氷機支持具１１５に設けた製氷皿支持部として作用する長い軸部１１６が貫挿されて、製氷皿１０７が製氷機支持具１１５に回転自在に支持されるようになっている。これにより、製氷皿１０７は、機構ボックス１０９内のモータにより、回動軸線Ｐを支点として、例えば最初、時計方向に回動されて、次に反転し、反時計方向に回動することになっている。なお、製氷皿１０７の前記長手方向端部１０７ｃに、ひねりを行わせるための突起１１７が設けられ、一方製氷機支持具１１５の前記軸部１１６が突出する端壁１２０ａ内面には、前記突起１１７が嵌合し摺動する円弧状の案内溝１１８が形成されており、回転軸１１０による製氷皿１０７の回動に伴い、前記突起１１７が案内溝１１８を摺動しついに案内溝１１８の一端側に到達し回転が止められた以降は、製氷皿１０７にはひねりが加えられて、氷が離氷し易くなっている。
【０００６】
１１９は、貯氷容器で、製氷皿１０７の下方において出し入れ可能に配置され、製氷皿１０７が製氷完了時に回動し、離氷動作を行った時に落下する氷を受け入れるようになっている。
【０００７】
ここで、製氷皿１０７がこの製氷機支持具１１５に回動自在に装着されていると共に、製氷皿１０７と製氷機支持具１１５とは一体になって、前記機構ボックス１０９側の回転軸１１０から、分離できるような構造となっていることを特徴とするもので、これによって、製氷皿１０７の清掃などが簡単に行えるようになるというものである。
【特許文献１】特開２０００−１６１８２４号公報
【発明の開示】
【発明が解決しようとする課題】
【０００８】
しかしながら、上記従来の構成では、製氷皿が実際に取り外された状態を、或いは取り外された状態から取りつけられた状態を認識する手段が開示されておらず製氷皿の取り外し、取りつけ後の製氷動作のタイミングが不明確である。
【０００９】
本発明は、上記従来の課題を解決するもので、製氷皿の取り外し、取りつけを可能し製氷皿の有無を合理的な手段で認識し、製氷皿の取りつけ時いたずらに水が入った製氷皿を取りつけられた場合でも不具合なく製氷動作を行うことができるようにする自動製氷機付き冷蔵庫を提供することを目的とする。
【課題を解決するための手段】
【００１０】
上記従来の課題を解決するために本発明の冷蔵庫は、製氷皿駆動手段と、給水動作手段と、製氷皿の有無を検知する製氷皿有無検知手段と、製氷皿有無検知手段により検知された信号により製氷皿駆動手段と給水動作手段を制御する自動製氷制御手段とを備え、自動製氷制御手段は、製氷皿取付け時の製氷皿有無検知手段の信号が検知された時は、一定時間経過した後、製氷皿駆動手段と給水動作手段を動作させるものである。
【００１１】
これによって、いたずらに製氷皿に水が入った状態で冷蔵庫に取りつけられた場合でも一定時間経過し十分製氷された状態で製氷皿駆動手段と給水動作手段を動作させるため、製氷皿が水の状態で離氷されたり、製氷不充分な状態で離氷され製氷皿に氷残りがある状態で給水される等の製氷不具合をなくすことができる。
【００１２】
また、本発明の冷蔵庫は、製氷皿駆動手段と、給水動作手段と、製氷皿の有無を検知する製氷皿有無検知手段と、製氷皿駆動動作及び給水動作を停止する製氷停止手段と、製氷皿有無検知手段と製氷停止手段により検知された信号により製氷皿駆動手段と給水動作手段を制御する自動製氷制御手段とを備え、製氷停止手段の信号の有無により製氷皿取付け後の製氷皿駆動手段と給水動作手段の開始時間を制御するものである。
【００１３】
これによって、製氷皿を取り外される場合に製氷停止手段により取り外し意思をもって取り外されたかどうかを判断し、つづく製氷皿取りつけ後の製氷動作である製氷皿駆動と給水動作の開始時間を制御することにより、製氷不具合なしに製氷時間の短縮をはかることができる。
【００１４】
また、本発明の冷蔵庫は、自動製氷制御手段として、製氷停止手段の信号を検知し、製氷皿がはずされた後、製氷皿有無検知手段により製氷皿有りの信号が検知された時は、すぐに製氷皿駆動手段と給水動作手段を動作させるものである。
【００１５】
これによって製氷皿は、製氷皿清掃等の目的で使用者の意思により取り外されたものと判断され、つづく製氷皿取りつけ後の製氷動作をすぐ実行することにより製氷時間の短縮を図ることができる。
【００１６】
また、本発明の冷蔵庫は、自動製氷制御手段として、製氷停止手段の信号を検知なしに、製氷皿がはずされた後、製氷皿有無検知手段により製氷皿有りの信号が検知された時は、一定時間経過した後、製氷皿駆動手段と給水動作手段を動作させるものである。
【００１７】
これによって製氷皿は、製氷皿清掃等の目的以外で取り外されたものと判断され、つづく製氷皿取りつけ後の製氷動作は、一定時間経過し十分製氷された状態で製氷皿駆動手段と給水動作手段を動作させるため、製氷皿が水の状態で離氷されたり、製氷不充分な状態で離氷され製氷皿に氷残りがある状態で給水される等の製氷不具合をなくすことができる。
【発明の効果】
【００１８】
本発明の冷蔵庫は、いたずらに製氷皿が、水の入った状態で冷蔵庫に取りつけられた場合でも一定時間経過し十分製氷された状態で製氷皿駆動手段と給水動作手段を動作させるため、製氷皿が水の状態で離氷されたり、製氷不充分な状態で離氷され製氷皿に氷残りがある状態で給水される等の製氷不具合をなくすことができる。
【００１９】
また、本発明の冷蔵庫は、製氷皿を取り外される場合に製氷停止手段により取り外し意思をもって取り外されたかどうかを判断し、つづく製氷皿取りつけ後の製氷動作である製氷皿駆動と給水動作の開始時間を制御することにより、製氷不具合なしに製氷時間の短縮をはかることができる。
【発明を実施するための最良の形態】
【００２０】
請求項１に記載の発明は、給水装置から給水された水を冷凍室内に設置した製氷皿に貯溜して製氷し、製氷後に離氷機構により製氷皿を反転させて離氷させるようにし、前記製氷皿が離氷機構から自在に取り外せるようにした自動製氷機付き冷凍冷蔵庫において、前記製氷皿を離氷機構により動作させる製氷皿駆動手段と、前記給水装置から給水動作を行う給水動作手段と、前記製氷皿の有無を検知する製氷皿有無検知手段と、前記製氷皿有無検知手段により検知された信号により前記製氷皿駆動手段と前記給水動作手段を制御する自動製氷制御手段とを備え、前記自動製氷制御手段は、前記製氷皿取付け時の製氷皿有無検知手段の信号が検知された時は、一定時間経過した後、製氷皿駆動手段と給水動作手段を動作させることにより、いたずらに製氷皿が水の入った状態で冷蔵庫に取りつけられた場合でも一定時間経過し十分製氷された状態で製氷皿駆動手段と給水動作手段を動作させるため、製氷皿が水の状態で離氷されたり、製氷不充分な状態で離氷され製氷皿に氷残りがある状態で給水される等の製氷不具合をなくすことができる。
【００２１】
請求項２に記載の発明は、給水装置から給水された水を冷凍室内に設置した製氷皿に貯溜して製氷し、製氷後に離氷機構により製氷皿を反転させて離氷させるようにし、前記製氷皿が離氷機構から自在に取り外せるようにした自動製氷機付き冷凍冷蔵庫において、前記製氷皿を離氷機構により動作させる製氷皿駆動手段と、前記給水装置から給水動作を行う給水動作手段と、前記製氷皿の有無を検知する製氷皿有無検知手段と、製氷皿駆動動作及び給水動作を停止する製氷停止手段と、前記製氷皿有無検知手段と前記製氷停止手段により検知された信号により前記製氷皿駆動手段と前記給水動作手段を制御する自動製氷制御手段とを備え、前記製氷停止手段の信号の有無により製氷皿取付け後の製氷皿駆動手段と給水動作手段の開始時間を制御することにより、製氷皿を取り外される場合に製氷停止手段により取り外し意思をもって取り外されたかどうかを判断し、つづく製氷皿取りつけ後の製氷動作である製氷皿駆動と給水動作の開始時間を制御することにより、製氷不具合なしに製氷時間の短縮をはかることができる。
【００２２】
請求項３に記載の発明は、請求項２に記載の発明の自動製氷制御手段は、製氷停止手段の信号を検知し、製氷皿がはずされた後、製氷皿有無検知手段により製氷皿有りの信号が検知された時は、すぐに製氷皿駆動手段と給水動作手段を動作させることにより、製氷皿は、製氷皿清掃等の目的で使用者の意思により取り外されたものと判断され、つづく製氷皿取りつけ後の製氷動作をすぐ実行することにより製氷時間の短縮を図ることができる。
【００２３】
請求項４に記載の発明は、請求項２に記載の発明の自動製氷制御手段は、製氷停止手段の信号を検知なしに、製氷皿がはずされた後、製氷皿有無検知手段により製氷皿有りの信号が検知された時は、一定時間経過した後、製氷皿駆動手段と給水動作手段を動作させることにより、製氷皿は、製氷皿清掃等の目的以外で取り外されたものと判断され、つづく製氷皿取りつけ後の製氷動作は、一定時間経過し十分製氷された状態で製氷皿駆動手段と給水動作手段を動作させるため、製氷皿が水の状態で離氷されたり、製氷不充分な状態で離氷され製氷皿に氷残りがある状態で給水される等の製氷不具合をなくすことができる。
【００２４】
以下本発明の実施の形態について図面を参照しながら説明するが、従来例と同一構成については、その詳細な説明は省略する。なお、この実施の形態によってこの発明が限定されるものではない。
【００２５】
（実施の形態１）
図１は本発明の実施の形態１における冷蔵庫の概略側断面図、図２は同実施の形態における製氷装置の縦断面図、図３は図２において製氷皿を引き出した状態を示す図である。図１において、１は冷蔵庫本体で、製氷室２と冷蔵室３を有しそれぞれ製氷室扉２ａと冷蔵室扉３ａがある。製氷室２内の上部には製氷装置４が配置されており、この製氷装置４は製氷室扉の反扉方向の後方にモータを内臓した製氷皿駆動手段１０を配置し、製氷皿５で製氷された氷は製氷皿駆動手段１０からの回転駆動により下部の貯氷箱６に貯蔵するようになっている。冷蔵室３には製氷用水を貯蔵するための給水タンク７が配置されており、この給水タンク７内の水は、給水モータからなる給水動作手段８により給水管９を通して一定量製氷皿５に給水するようになっている。
【００２６】
次に製氷装置４についてその構造を詳細に説明する。図２、図３において、製氷皿駆動手段１０は、製氷室２の上部に固定され冷蔵庫の冷気を製氷皿５に搬送する風路作用を有したフレーム１１の端部に設置され、駆動源に連動して回動する回転軸１０ａを略中央部に有している。製氷皿５は、回転可能な軸部５ａ，５ｂを有し両軸部を支持する保持部分を備えた保持体１３に一体構成されており、製氷皿駆動手段１０の回転軸１０ａに着脱自在に連結可能である。また保持体１３は、フレーム１１から取りつけ、取りはずし時の略Ｕ字状の取手部１３ｄを有している。１４は製氷皿５と一体構成された保持体１３の有り無しを検知する製氷皿有無検知手段でマイクロスイッチ等からなりでフレーム１１に固定されている。１６はフレーム１１の駆動部１０と反対側の端部にバネ（図示せず）を介してフレーム１１の溝部に嵌合部を回転可能に嵌合固定され、製氷皿５と一体構成された保持体１３の引出しを規制するものである。
【００２７】
上記の構成において製氷動作の説明を行う。製氷皿５は、まず製氷皿駆動手段１０の駆動制御により回動軸１０ａを回動し製氷皿５を回転させた後、製氷皿５の水平位置を確立する。その後製氷皿５に給水動作手段８により水が一定量給水され、所定の時間製氷が行われた後に製氷が完了したことを製氷皿５近傍に設けられた温度センサが検知すると、製氷皿駆動手段１０の駆動制御により回動軸１０ａを回動し製氷皿５を回転させ製氷皿５を反転及びひねることにより氷が離氷され、回動軸１０ａが所定の水平位置になった時駆動モータを停止し離氷が完了する。離氷された氷は下部の貯氷箱６に貯氷される。また、製氷皿５を冷蔵庫本体１から取り外す場合は、製氷皿５と一体構成された保持体１３を嵌合部１６を解除した後、取り外すもので、取りつけも逆動作にてワンタッチで可能である。
【００２８】
図４は、本発明の同実施の形態における冷蔵庫の制御装置のブロック図であり、図５は、同実施の形態の冷蔵庫の制御装置の動作を説明するためのフローチャートである。
【００２９】
図４において、１４は製氷皿有無検知手段で、製氷皿５が回動軸１０ａに取り付けられてあるときは、マイクロスイッチにより、製氷皿有りとして検知信号を出力する。自動製氷制御手段３０は、製氷皿有無検知手段１４からの信号の入力により製氷皿駆動手段１０と給水動作手段８を制御するものである。尚、自動製氷制御手段３０は、電子基板に実装されたマイコン（図示せず）などで構成され制御アルゴリズムがプログラミングされている。
【００３０】
以上のように構成された冷蔵庫の制御装置について、図５を用いてその動作を説明する。冷蔵庫運転中に製氷皿５を取り外す際、まず、製氷皿有無検知手段１４の製氷皿なしの信号で製氷皿取り外しが行われ（Ｓｔｅｐ１）、清掃後の製氷皿取りつけの確認を製氷皿有無検知手段１４の製氷皿あり信号にて行い（Ｓｔｅｐ２）、取りつけが完了されたと同時にタイマーにより時間Ｔ１を計測する（Ｓｔｅｐ３）。次にＴ１時間と、冷蔵庫の運転状態よりより予め設定された製氷完了時間Ｘ１との比較を行い（Ｓｔｅｐ４）、Ｔ１＞Ｘ１となった時点で、製氷皿駆動手段１０の信号により製氷皿５は駆動動作を行い（Ｓｔｅｐ５）により製氷皿５を所定の水平位置とし、つづいて給水動作手段８により給水動作（Ｓｔｅｐ６）を行い冷却器による製氷を行う。
【００３１】
これは、製氷皿５を取り外し、その後、取りつけを行う際、あやまって製氷皿５に水を注いで取りつけを行ったり、十分製氷されていない状態で製氷皿５が駆動したり、給水動作を行うことを保護するものである。
【００３２】
（実施の形態２）
図６は本発明の実施の形態２における冷蔵庫本体の冷蔵室に設置され温度調節などの設定を使用者が行う操作パネルの概略図であり、操作パネル２３において、２４は、冷蔵室３の温度調節を行うための冷蔵室温度調節ボタンで、ボタンを押す毎に冷蔵室３の温度調節が弱から強へ切り替わる。２５は製氷室２の温度調節を行うための冷凍室温度調節ボタンで、ボタンを押す毎に製氷室２の温度調節が弱から強へ切り替わる。２６は自動製氷機能である製氷皿駆動手段１０及び給水動作手段８を一時停止させる操作ボタンの製氷停止手段である。
【００３３】
図７は、本発明の同実施の形態における冷蔵庫の制御装置のブロック図であり、図８は、同実施の形態の冷蔵庫の制御装置の動作を説明するためのフローチャートである。
【００３４】
図７において、１４は製氷皿有無検知手段で、製氷皿５が回動軸１０ａに取り付けられてあるときは、マイクロスイッチにより、製氷皿有りとして検知信号を出力する。自動製氷制御手段３０は、製氷皿有無検知手段１４からの信号の入力と製氷停止手段２６からの信号入力により製氷皿駆動手段１０と給水動作手段８を制御するものである。尚、自動製氷制御手段３０は、電子基板に実装されたマイコン（図示せず）などで構成され制御アルゴリズムがプログラミングされている。
【００３５】
以上のように構成された冷蔵庫の制御装置について、図８を用いてその動作を説明する。冷蔵庫運転中に製氷皿５を取り外す際、まず製氷停止手段２６からの製氷停止信号の有無を確認する（Ｓｔｅｐ１）。
【００３６】
Ｓｔｅｐ１で製氷停止信号が有の場合、製氷皿有無検知手段１４の製氷皿なしの信号で製氷皿取り外しが行われ（Ｓｔｅｐ２）、清掃後の製氷皿取りつけの確認を製氷皿有無検知手段１４の製氷皿あり信号にて行い（Ｓｔｅｐ３）、取りつけが完了されたと同時に製氷皿駆動手段１０の信号により製氷皿５は駆動動作を行い（Ｓｔｅｐ８）、製氷皿５を所定の水平位置とし、つづいて給水動作手段８により給水動作（Ｓｔｅｐ９）を行い冷却器による製氷を行う。
【００３７】
Ｓｔｅｐ１で製氷停止信号が無の場合、製氷皿有無検知手段１４の製氷皿なしの信号で製氷皿取り外しが行われ（Ｓｔｅｐ４）、清掃後の製氷皿取りつけの確認を製氷皿有無検知手段１４の製氷皿あり信号にて行い（Ｓｔｅｐ５）、取りつけが完了されたと同時にタイマーにより時間Ｔ２を計測する（Ｓｔｅｐ６）。次にＴ２時間と、冷蔵庫の運転状態よりより予め設定された製氷完了時間Ｘ２との比較を行い（Ｓｔｅｐ７）、Ｔ２＞Ｘ２となった時点で、製氷皿駆動手段１０の信号により製氷皿５は駆動動作を行い（Ｓｔｅｐ８）により製氷皿５を所定の水平位置とし、つづいて給水動作手段８により給水動作（Ｓｔｅｐ９）を行い冷却器による製氷を行う。
【００３８】
これは、製氷皿５を取り外す際、あらかじめ製氷停止手段２６により製氷動作を停止させた場合は、清掃意思をもって製氷皿５を取り外したものと判断し、製氷時間を短縮するため、その後、製氷皿５を取りつけた直後、製氷準備のための製氷皿駆動と給水動作を行うものとし、製氷動作の停止がなかった場合は、清掃意思なしに製氷皿５を取り外したものと判断し、製氷皿５を取りつけた際、十分製氷されていない状態で製氷皿５が駆動したり、給水動作を行うことを保護するものである。
【産業上の利用可能性】
【００３９】
以上のように、本発明にかかる冷蔵庫は、製氷停止手段の信号の有無により製氷皿取付け後の製氷皿駆動手段と給水動作手段の開始時間を制御するもので、製氷用途の冷蔵庫に限らずあらゆる貯水容器が分離可能な給水装置にも適用できる。
【図面の簡単な説明】
【００４０】
【図１】本発明の実施の形態１における冷蔵庫の概略側断面図
【図２】同実施の形態における製氷装置の縦断面図
【図３】図２において製氷皿を引き出した状態を示す図
【図４】同実施の形態における冷蔵庫の制御装置のブロック図
【図５】同実施の形態の冷蔵庫の制御装置の動作を説明するためのフローチャート
【図６】本発明の実施の形態２における冷蔵庫本体の操作パネルの概略図
【図７】同実施の形態における冷蔵庫の制御装置のブロック図
【図８】同実施の形態の冷蔵庫の制御装置の動作を説明するためのフローチャート
【図９】従来冷蔵庫の一部縦断面図
【図１０】従来冷蔵庫の自動製氷機の分解斜視図
【符号の説明】
【００４１】
１    冷蔵庫本体
２    製氷室
２ａ  製氷室扉
４    製氷装置
５    製氷皿
８    給水動作手段（給水機構）
１０  製氷皿駆動手段（駆動機構）
１０ａ  回転軸
１４  製氷皿有無検知手段
２３  操作パネル
２６  製氷停止手段（製氷停止ボタン）
３０  自動製氷制御手段
【図１】
2006078084.tif 000003
【図２】
2006078084.tif 000004
【図３】
2006078084.tif 000005
【図４】
2006078084.tif 000006
【図５】
2006078084.tif 000007
【図６】
2006078084.tif 000008
【図７】
2006078084.tif 000009
【図８】
2006078084.tif 000010
【図９】
2006078084.tif 000011
【図１０】
2006078084.tif 000012